(57)【要約】  【課題】  表示部を遮熱板の上部中央に設け、操作部を本体の上面に設ける構造とすることにより、熱源器からの熱の影響を受けず、リモコンによる受光性能、表示の見易さを損なわずに本体スイッチによる操作性能を向上させ、かつ部品点数を増加することなく、組立性を向上させることができる暖房機器を提供する。  【解決手段】  吸込口５と吹出口６とを結ぶ空気通路に、温風を生成する熱源器と、温風を前記吹出口に送出する送風ファンとを配設し、熱源器の前面に熱が本体前面に伝導するのを防止するとともに、空気通路を構成する遮熱板を設ける一方、機器の運転状況を表示する表示部１１および、または機器の操作を行う操作部１４とを備えてなる暖房機器において、表示部および、または操作部を遮熱板に設けてなる構成とした。  【選択図】図１
2007040625.tif 000002
【特許請求の範囲】
【請求項１】
筐体の背面に吸込口を、前面に吹出口を設け、前記吸込口と前記吹出口とを結ぶ空気通路に、熱源器と、同熱源器により熱交換された温風を前記吹出口に送出する送風ファンとを配設し、前記熱源器の熱が筐体前面に伝導するのを防止するとともに、前記空気通路を構成する遮熱板を設ける一方、機器の運転状況を表示する表示部および、または機器の操作を行う操作部とを備えてなる暖房機器において、
前記表示部および、または前記操作部を前記遮熱板に設けてなることを特徴とする暖房機器。
【請求項２】
前記遮熱板と対向する前記表示部および、または前記操作部の裏面との間に、所定の隙間を設けてなることを特徴とする請求項１に記載の暖房機器。
【発明の詳細な説明】
【技術分野】
【０００１】
本発明は、ファンコンベクタなどの暖房機器に係わり、より詳しくは、表示部および操作部の機器への配置に関する。
【背景技術】
【０００２】
従来のファンコンベクタなどの暖房機器は、本体の操作部、表示部およびリモコン受光部が本体正面に配置されている構造であった。また、そのリモコン受光部は前面パネルに固定されていた。
本体のスイッチにより操作を行う場合、スイッチが正面に配置されいるためスイッチを押すと本体がぐらつくため、本体上部を手で押さえながら操作を行う必要があった。
本体の操作部および表示部が本体正面に配置されている暖房機器として、例えば図８（Ａ），（Ｂ），（Ｃ）で示すようものが知られている（例えば、特許文献１参照。）。
【０００３】
図８（Ａ），（Ｂ），（Ｃ）において、１’は機器本体で、２’は前面上部に備えられた操作部、３’は温風を案内するルーバ４’が取り付けられた温風吹出口、５’は背面の温風取入口６’にファンガード７’を介して取り付けられた対流ファン、８’は前記温風取入口６’と温風吹出口３’とを連通する送風ボックス、９’は前記送風ボックス８’内にバーナヘッド１０’を突出して設けられたバーナ部、１１’は前記バーナヘッド１０’を囲堯して燃焼空間を形成する燃焼筒、１２’は前記送風ボックス８’内で前記燃焼筒１１’の真上に配設された遮熱板である。
前記機器本体１’の外装体は、前面を覆う前パネル１３’と、上面を覆う上面板１４’と、側面及び背面を覆う背面板１５’とを置き台１６’の上に固定して構成されている。
【０００４】
機器本体１’の前面側上部に機器の操作を行う操作部２’と、運転中は緑色で点灯し、運転開始より所定時間経過で自動消火させる消し忘れタイマー手段３４’により自動消火する一定時間前から緑色で点滅し、さらに残り燃料量が所定量以下になると赤色で点滅表示するカラー表示器４６’とを備え、カラー表示器４６’を操作部２’とは独立して操作部２’と温風吹出口３’の間の中央に設けたので、このカラー表示器４６’を容易に確認することができる。
【０００５】
前記操作部２’には機器の運転／停止を指示する運転スイッチ３７’と、前記消し忘れタイマー手段３４’のカウント時間をリセットして再度所定時間（３時間）のカウントを開始させる延長スイッチ３８’と、前記おはようタイマー手段３５’を動作させるタイマースイッチ３９’と、運転スイッチ３７に近接して設けられた運転ランプ４０’と、タイマースイッチ３９’に近接して設けられたタイマーランプ４１’と、室温や時刻を表示する数字表示部４２’と、給油という文字を表示する給油文字表示部４３’と、各スイッチの操作時や何等かの警告時に音を発するブザー４４’とが設けられており、前記数字表示部４２’と給油文字表示部４３’は液晶表示器４５’に設けられているものである。
【０００６】
しかし、上記構成の場合、操作部２’が正面よりやや傾斜させて配置されているものの、座った状態でスイッチを押すと水平方向により力が加わり、本体がぐらつくおそれがある。また、各表示部を含めた操作部２’は取付金具兼操作部取付板５２’に取り付けるため部品点数が増え、コスト、作業性上において不利となっている。
そこで、リモコンによる受光性能および、表示の見易さを損なわずに、部品点数の削減及び本体スイッチによる操作性能を向上させる方法が望まれていた。
【０００７】
【特許文献１】特開２００１−３３６８２８号公報（２〜３頁、第１、２、４図）
【発明の開示】
【発明が解決しようとする課題】
【０００８】
本発明は上記の問題点に鑑み、表示素子およびリモコン受光部を備えた表示部を遮熱板の上部中央に設け、操作部を本体の上面に設ける構造とすることにより、熱源器からの熱の影響を受けず、リモコンによる受光性能、表示の見易さを損なわずに本体スイッチによる操作性能を向上させ、かつ部品点数を増加することなく、組立性を向上させることができる暖房機器を提供することを目的とする。
【課題を解決するための手段】
【０００９】
本発明は上述の課題を解決するため、筐体の背面に吸込口を、前面に吹出口を設け、前記吸込口と前記吹出口とを結ぶ空気通路に、温風を生成する熱源器と、前記温風を前記吹出口に送出する送風ファンとを配設し、前記熱源器の前面に熱が本体前面に伝導するのを防止するとともに、前記空気通路を構成する遮熱板を設ける一方、機器の運転状況を表示する表示部および、または機器の操作を行う操作部とを備えてなる暖房機器において、
前記表示部および、または前記操作部を前記遮熱板に設けてなる構成となっている。
【００１０】
また、前記遮熱板と対向する前記表示部および、または前記操作部の裏面との間に、所定の隙間を設けてなる構成となっている。
【発明の効果】
【００１１】
本発明によれば、請求項１の表示部および、または操作部を遮熱板に設けることにより、熱源器からの熱の影響を受けず、かつ部品点数を増加することなく、組立性を向上させることができる。請求項２の遮熱板と対向する表示部の裏面との間に、所定の隙間を設けることにより、熱源器からの熱の影響をさらに受けないようになされている。尚、操作部を本体の上面カバーに設ける構造とすることにより、表示部のリモコンによる受光性能、表示の見易さを損なわずに本体スイッチによる操作性能を向上させることができる。
【発明を実施するための最良の形態】
【００１２】
以下、本発明の暖房機器の実施の形態をファンコンベクタを例に、添付図面に基づいた実施例として詳細に説明する。
図１は本発明におけるファンコンベクタの外観斜視図である。
図２は本発明におけるファンコンベクタの展開斜視図である。
図３は本発明におけるファンコンベクタの内部を前面から見た斜視図である。
図４は本発明における、（Ａ）は操作部、（Ｂ）は表示部を示す図である。
【実施例１】
【００１３】
以下、本発明の実施例１を図１、図２および図３に基づいて説明する。
図１、図２および図３において、１はファンコンベクタ本体、２は床面に載置される前記本体１を構成するスタンド、３は前面が開放された背面パネル、４は後面が開放され前記背面パネル３に被着される前面パネルで、これらにより本体１を構成している。
【００１４】
５は前記筐体１の背面上部に設けられた吸込口、６は前面下部に設けられた送風ケーシング７からなる吹出口、８はこれら吸込口５および吹出口６を結ぶ空気通路（図示せず）に設けられ、前記吸込口５に臨ませて、温水を循環することにより前記吸込口５から吸い込まれた吸込空気を熱交換する熱交換器、９は前記送風ケーシング７に収納され、前記熱交換器８により熱交換された温風を前記吹出口６に送出するための送風ファン、９ａは同送風ファン９に直結されたファンモータ、９ｂは同ファンモータ９ａを固定するためのモータ固定具、１０は前記筐体１の上面、前面および両側面との間に所定の間隔をなし同筐体１内に配置され、前記熱交換器８に相対向して設けられ、空気通路を形成してなる第１遮熱板で、例えば、熱に強く安全性を有し、精度の出し易いＡＢＳ樹脂を用い、前記熱交換器８により熱交換された温風による熱を、前記前面パネル４に伝わらないようにしている。
【００１５】
１０Ａは前記第１遮熱板１０の下部に設けられ、前記モータ固定具９ｂを備えると共に，前記送風ファン９に対向するように配設された第２遮熱板で、前記第１遮熱板と同様に、前記熱交換器８により熱交換された温風による熱を、前記前面パネル４に伝わらないようにしている。
尚、本実施例では遮熱板を第１遮熱板１０と第２遮熱板１０Ａとに分割してあるが、これに限定したものではなく、一体に形成しても良い。
【００１６】
前記第１遮熱板１０は、図４に示すように、前記熱交換器８に対向する前面部１０ｆと、同前面部１０ｆの上端から、前記熱交換器８の上面に向け突出する上面部１０ｇと、前記前面部１０ｆと上面部１０ｇの左右両側端を覆う側面部１０ｈとから構成し、前記前面部１０ｆの中央部には矩形状の凹部１０ａが設けられいる。
【００１７】
また、１１は前記本体１の前面上部に装着され、機器の運転状況を表示するセブンセグメント等の表示素子１２と、リモコン信号を受光するリモコン受光部１３を搭載した表示基板１７とから構成された表示部である。
また、図３に示すように、１４は後述する前記本体１の上部を覆う上面カバーに設けられ、機器の操作を行う操作部、１５は前記本体１の上部を覆う上面カバー、１６は前記第１遮熱板１０の前面中央に設けられた凹部１０ａに収容された制御基板である。
【００１８】
前記制御基板１６と前記表示基板１７は、前記第１遮熱板１０に取り付けた後、前記両基板をワイヤハーネス１８により接続され、その後、前記前面パネル４が前記背面パネル３に被着される。このため、図８（Ｂ）に示す従来例のように表示基板の取り付けを、送風ボックス８’の上部空間で上面板１４’の前縁に取り付けた取付金具兼操作部取付板５２’に取り付けるのと異なり、本発明では別部品を使用するようなことがないため、部品点数も増加することがない。
【００１９】
また、前記表示部１１を図４及び図５に示すように、前記第１遮熱板１０の前面上部中央に取り付け、表示部１１の一部が第１遮熱板１０の前面部１０ｆの上端から突設させ、前記第１遮熱板１０と対向する前記表示部１１の裏面との間に、所定の隙間ｈを設けてなる構成とすることにより、部品点数の削減および操作性の向上を図り、かつ熱交換器（熱源器）８からの熱の影響をより受けないようになされている。
【００２０】
機器の運転操作を行う前記操作部１４は、図７（Ａ）に示すように、機器の運転または停止動作を行う運転／停止スイッチａと、室内温度を設定する温度設定スイッチｂと、タイマーにより機器の「入」または「切」を行うワンタッチタイマースイッチｃと、全ての動作を無効にでき、小さな子供の誤動作を防ぐ、鍵マークで示されたチャイルドロックスイッチｄとから構成されている。
前記操作部１４の取付位置は、前記本体１前面の前記表示部１１に設け、第１遮熱板１０に取付けてもよいが、本発明では図１に示すように、前記本体１の上部を覆う前記上面カバー１５に設けられている。前記操作部１４を前記上面カバー１５に設けることにより、操作を行う場合、機器の上方から各スイッチを押圧するため、従来例のように機器の前面に設けた場合に比べ、機器を手で押えることなく、安定に操作できる。
【００２１】
前記表示部１２は図７（Ｂ）に示すように、前記操作部１４で設定した内容を文字などで表示するもので、各文字の後方に取り付けられたＬＥＤにより文字を光らすものと、７セグメントにより表示するものとがある。
「リモコン」は機器の操作をリモコンで行った場合、文字が光るもので、前記操作部１４を手動により行った場合は光らず、最後にリモコンで操作した場合に文字が光るようになされている。
【００２２】
「運転」は運転／停止スイッチａにより、機器を運転動作させたとき文字が光る。「速暖」は室外機の気化機を温めておき、急速暖房を行えるようにしたものである。
室温および各設定時刻は７セグメントにより表示される。室温の設定は１０〜３０℃の間で１℃間隔で設定することができる。
タイマーはＯＮ，ＯＦＦタイマーで運転状態を時刻表示するもので、前記操作部１４のワンタッチタイマースイッチｃにより、ＯＮの場合は「入」により何時何分に機器をＯＮさせるかを設定する。また、ＯＦＦの場合は「切」により何時何分後に機器をＯＦＦさせるかを設定する。
【００２３】
「ロック」の鍵マークは前記操作部１４のチャイルドロックスイッチｄを押すことにより、ロックと解除が繰返され、ロック状態のとき文字が光るようになされ、全ての動作を無効にでき、小さな子供の誤動作を防ぐことができる。
【００２４】
「水補給」は室外機のタンク内の不凍液（水）の水量が所定量より不足した場合、水補給を知らせるもので、センサによりのタンク内の水位を検知し、所定水位以下になると水補給の文字が光るようになっている。
【００２５】
上記に説明したように、本発明によれば、表示素子およびリモコン受光部を備えた表示部１１を第１遮熱板１０の上部中央に設け、操作部１４を本体１の上面カバー１５に設ける構造とすることにより、熱交換器（熱源器）８からの熱の影響を受けず、リモコンによる受光性能および、表示の見易さを損なわずに本体スイッチによる操作性能を向上させ、かつ部品点数を増加することなく、組立性を向上させることができる暖房機器となる。
尚、本実施例では、操作部１４は上面カバー１５に設けているが、これに限られず、操作部１４を第１遮熱板１０に設けても良い。
【図面の簡単な説明】
【００２６】
【図１】本発明の実施例を示すファンコンベクタの外観の斜視図である。
【図２】本発明の実施例を示すファンコンベクタの展開斜視図である。
【図３】本発明の実施例を示すファンコンベクタの内部を前面から見た斜視図である。
【図４】本発明の表示部の配置を示す斜視図である。
【図５】本発明の表示部の取付け状態を示す断面図である。
【図６】本発明の表示部の取付け状態を示す斜視図である。
【図７】（Ａ）は本発明の操作部の上面図で、（Ｂ）は本発明の表示部の正面図である。
【図８】（Ａ）は従来例を示す温水暖房機の外観の斜視図、（Ｂ）は従来例を示す温水暖房機の縦断面図で、（Ｃ）は従来例の操作部と表示部の正面図である。
【符号の説明】
【００２７】
１  ファンコンベクタ本体
２  ベース
３  背面パネル
４  前面パネル
５  吸込口
６  吹出口
８  熱交換器  
９  送風ファン
10  第１遮熱板
10A   第２遮熱板
10a   凹部
10f   前面部
10g   上面部
10h   側面部
11  表示部
12  表示素子
13  リモコン受光部
14  操作部
15  上面カバー
16  制御基板
17  表示基板
18  ワイヤーハーネス
【図１】
2007040625.tif 000003
【図２】
2007040625.tif 000004
【図３】
2007040625.tif 000005
【図４】
2007040625.tif 000006
【図５】
2007040625.tif 000007
【図６】
2007040625.tif 000008
【図７】
2007040625.tif 000009
【図８】
2007040625.tif 000010